(57)【特許請求の範囲】
【請求項１】
ベース板と、このベース板に合体して施蓋される蓋体とからなるパチンコ機の球発射装置ユニットであって、
ベース板には、発射レールと、発射ソレノイドの駆動により発射レール上の球を打ち出す弾球槌と、を備える球発射装置を設け、
蓋体には、球皿から導入された球を前記発射レールに一球ずつ送出する球送り部材を備える球送り装置と、球の発射を制御する発射制御モジュールが装着された制御基板と、を隣接して設けたことを特徴とするパチンコ機の球発射装置ユニット。
【請求項２】
球送り装置を、蓋体に球皿からの球の導入路と発射レールへの球の送出路とが隣接して設けられたものとして、この球送り装置を、蓋体の一方の側に寄せて配設して、蓋体の他方の側に制御基板取り付け用のスペースを確保したうえに、このスペースに前記制御基板を配設した請求項１に記載のパチンコ機の球発射装置ユニット。
【請求項３】
前記発射制御モジュールは、遊技者が操作ハンドルに触手したことを検知するタッチセンサ部と、球発射強度を調節するボリューム部と、遊技者がスイッチング操作した入力信号を検知するスイッチ入力部と、タッチセンサ部及びボリューム部からの発射信号とスイッチ入力部からの停止信号とを選択する信号選択部と、信号選択部からの発射信号により球送りソレノイドと発射ソレノイドとを同期を取って駆動させるための発射制御信号を送信するソレノイド制御部と、を内蔵する請求項１又は２に記載のパチンコ機の球発射装置ユニット。
【請求項４】
前記ベース板は、少なくとも発射レールを螺着するための取付基台と、戻り球を下方に落下させるための下側ガイド部材と、球を発射レール上に静止させるための上側ガイド部材が一体成形により形成されている請求項１〜３の何れかに記載のパチンコ機の球発射装置ユニット。
【発明の詳細な説明】
【技術分野】
【０００１】
本発明は、球皿から発射レールに供給された球を遊技領域内に発射するためのパチンコ機の球発射装置ユニットに関するものである。
【背景技術】
【０００２】
遊技機であるパチンコ機には、遊技領域内に球を発射するための球発射装置と、球皿から供給された球を球発射装置に一球ずつ送出するための球送り装置が配設されている。球発射装置は、発射レールと、この発射レールの所定位置に静止された球を発射するための弾球槌を有している。
【０００３】
球送り装置は、例えば特許文献１の図２に示されたような構造のものであって、このものは、球送り部材と球送りソレノイドとを有している。この球送り装置において、球皿からの球の導入口の下方に発射レールへの球の送出口が設けられている。球送り部材は上向きの球受け部を有する。球送り部材には磁性板が取り付けられていて、ソレノイドが通電されたときに吸引されて、球送り部材が軸を中心に回動して球受け部に球を取り込む。次にソレノイドがＯＦＦとなって球送り部材が吸引前の状態に戻って球受け部の位置が球の送出口と一致したところで球は発射レールに送出される。弾球槌は発射レール上に静止された球を発射する。以上のようにして球送り装置は、弾球槌の動きと同期して球を一球ずつ発射レールに送出する。
【０００４】
従来は、上記したように、上向きとした球送り部材の横側にソレノイドを横向きとして配置していたので、球送り装置の横側に制御基板を配置するためのスペースを確保することができなかった。また、球送り部材と弾球槌の駆動の制御は制御基板によって行われるが、制御基板には多くの制御部品を個別に搭載していたので、制御基板自体も面積の大きいものであった。このため、球送り装置と制御基板とを隣接して設けることができず、制御基板は遊技機の裏側などに配設していた。したがって、制御基板を、球送り装置及び球発射装置とは別個のものとしていたので、部品点数が多くなって、部品の搬送コスト、パチンコ機の組立コストが高騰してしまうという問題があった。
【先行技術文献】
【特許文献】
【０００５】
【特許文献１】特開２００２−３３１０８０号公報    （図２）
【発明の概要】
【発明が解決しようとする課題】
【０００６】
本発明は、上記した従来の問題点に鑑み、球送り装置と球発射装置と制御基板とが一体に組み込まれたパチンコ機の球発射装置ユニットを提供することを課題とする。
【課題を解決するための手段】
【０００７】
上記の課題を解決するためになされた本発明に係るパチンコ機の球発射装置ユニットは、ベース板と、このベース板に合体して施蓋される蓋体とからなるパチンコ機の球発射装置ユニットであって、
ベース板には、発射レールと、発射ソレノイドの駆動により発射レール上の球を打ち出す弾球槌と、を備える球発射装置を設け、
蓋体には、球皿から導入された球を前記発射レールに一球ずつ送出する球送り部材を備える球送り装置と、球の発射を制御する発射制御モジュールが装着された制御基板と、を隣接して設けたことを特徴とするものである。
【０００８】
上記した発明において、球送り装置を、蓋体に球皿からの球の導入路と発射レールへの球の送出路とが隣接して設けられたものとして、この球送り装置を、蓋体の一方の側に寄せて配設して、蓋体の他方の側に制御基板取り付け用のスペースを確保したうえに、このスペースに前記制御基板を配設することができる。
【０００９】
また、前記発射制御モジュールを、遊技者が操作ハンドルに触手したことを検知するタッチセンサ部と、球発射強度を調節するボリューム部と、遊技者がスイッチング操作した入力信号を検知するスイッチ入力部と、タッチセンサ部及びボリューム部からの発射信号とスイッチ入力部からの停止信号とを選択する信号選択部と、信号選択部からの発射信号により球送りソレノイドと発射ソレノイドとを同期を取って駆動させるための発射制御信号を送信するソレノイド制御部と、を内蔵するものとすることができる。
【００１０】
前記ベース板は、少なくとも発射レールを螺着するための取付基台と、戻り球を下方に落下させるための下側ガイド部材と、球を発射レール上に静止させるための上側ガイド部材が一体成形により形成することができる。
【発明の効果】
【００１１】
本発明の球発射装置ユニットは、蓋体に球導入路と球送出路とを隣接して設けたので、球送り装置を小さくして、球送り装置の隣に制御基板取り付け用のスペースを確保することができる。そして、制御基板には、タッチセンサ部とボリューム部とスイッチ入力部と信号選択部とソレノイド制御部とを内蔵する発射制御モジュールを装着したので、制御基板自体を面積の小さいものとすることができる。よって、確保したスペースに発射制御基板を取り付けることが可能となるので、蓋体に球送り装置と制御基板とを隣接して設けることができる。
【００１２】
以上のように、球送り装置と球発射装置と制御基板とが一つのアッセンブリーとして組み込まれているので、これらの装置、制御基板を別々に搬送したり別々にパチンコ機に組み付けたりする必要がない。よって、搬送コスト、組立コストを大幅に低減できるという有利な効果を奏することができる。
【図面の簡単な説明】
【００１３】
【図１】球発射装置ユニットの外観を示す斜視図である。
【図２】球発射装置ユニットの正面図である。
【図３】球発射装置ユニットの平面図である。
【図４】球発射装置ユニットの側面図である。
【図５】球発射装置の斜視図である。
【図６】球発射装置ユニットの内部構造を示す斜視図である。
【図７】球送り部材が上昇状態である球発射装置ユニットの正面図である。
【図８】図７のＡ−Ａ線断面図である。
【図９】球送り部材が降下状態である球発射装置ユニットの正面図である。
【図１０】図９のＢ−Ｂ線断面図である。
【図１１】発射制御モジュールの斜視図である。
【図１２】制御基板の概略構成図である。
【図１３】球発射装置の正面図である。
【図１４】図１３のＣ−Ｃ線断面図である。
【発明を実施するための形態】
【００１４】
以下に、本発明の実施形態について説明する。
図１−４は、本発明の球発射装置ユニットを示す図であって、１は合成樹脂により製造された略矩形のベース板、２は全体が箱形状に形成された蓋体である。ベース板１は後述する球発射装置を備え、蓋体２は球送り装置と制御基板とを隣接して備えている。蓋体２は、左右の側面に係止片２１を有し、この係止片２１がベース板１の側面を係止してベース板１に一体に合体して施蓋される。なお、蓋体２をベース板１の一端を中心にヒンジ開閉するものとしてベース板１に合体させたうえに、クリップ部材などを用いて閉止することもできる。蓋体２はベース板１に閉鎖状態で係止されることが必要であるが、蓋体２の開閉機構、閉止機構は適宜の構造のものを用いることができる。
【００１５】
図１において、２２は球皿（図示していない）からの球の導入路、２３は球送り装置の収容室、２４は制御基板７の収容室、２５は球発射口である。なお、制御基板７のうち後述する入力端子７１、出力端子７２は、外部との接続のため収容室２４には収容されない。また、ベース板１の裏側には、ロータリソレノイドである発射ソレノイドＨが配設されている（図４）。
【００１６】
発射ソレノイドＨは、従来の数ｃｍ程度の厚みのものに対して、遊技板と同じ厚さの１９ｍｍのとしてあるので、発射ソレノイドＨの裏面を遊技板の裏面と同一平面に位置させることができる。これによってソレノイドＨが遊技板の裏側へ突出するのを防止して、裏側に設ける基板ケースとの隙間をなくし、遊技機へ不正な行為を働くのを防止することができる。また、発射装置ユニット自体を薄くすることができるので、球皿の裏側と遊技板裏面の限られた奥行きの空間に収納することができるという効果をも有する。
【００１７】
球発射装置の構造を図５に示す。球発射装置３は、合成樹脂製のベース板１に発射レール４と弾球槌５とが配設されたものである。発射レール４は、金属板を折り曲げて形成した側面視Ｍ形で、球の当接面がＶ状に凹んでいるものであって、ベース板１と一体に形成された取付基台４１に螺着されている。この発射レール４に隣接して、打ち損ないによる戻り球が直接発射レール４に衝突するのを防止するための下側ガイド部材４２が設けられている。発射レール４の近傍には球を弾球位置に静止させるための上側ガイド部材４３が設けられている。下側ガイド部材４２、上側ガイド部材４３はベース板１と一体に成形することができる。
【００１８】
弾球槌５は、金属薄板からなる槌本体５１と、インサート成形により槌本体５１の後端、一側、先端を覆って形成された合成樹脂製の被覆体５２とからなる。先端には弾球面５３を有し、この弾球面５３の近傍には穴５４が形成されているので、合成樹脂の弾発力を高めて弾球面５３が高弾発で球を発射するようにしてある。弾球槌５は穴５４の近傍に回動停止用の段差５９を有している。なお、弾球面５３は、弾球面５３の中心が球に衝突すればよいので、その形状は矩形、円形など適宜の形状のものとすることができるし、幅も遊技球の半径未満とするのが、資源保護の観点から好ましいといえる。
【００１９】
弾球槌５は発射ソレノイドＨの回動軸５５に軸着されており、上側ストッパー５６と、下側ストッパー５７との間を回動する。上側ストッパー５６と、下側ストッパー５７は、それぞれベース板１と一体に形成された基部５６１、５７１と、これらに嵌め込まれた合成樹脂製のクッション体５６２、５７２とからなる。
【００２０】
下側ストッパー５７の基部５７１は、図１４に示すように、後方に突出するボス５７３を有し、このボス５７３にクッション体５７２の穴部５７４が嵌め込まれたうえ、発射ソレノイドＨで押さえ込まれて、クッション体５７２は固定されている。上側ストッパー５６も下側ストッパー５７と同様の構造である。弾球槌５が下側ストッパー５７に当接された状態から発射回動が開始され、上側ストッパー５６に衝突して発射回動が停止される。ここで、弾球槌５の当接面５８が上側ストッパー５６に衝突したのち段差５９が上側ガイド部材４３の下端に衝突されるように構成してあるので、クッション体５６２に過度の衝撃が加わるのを抑止して、クッション体５６２の耐久性を向上させてある。
【００２１】
さらに、回転軸５５から最も離れた位置にストッパー５６を設けることで、回動停止時の衝撃による弾球槌５やクッション体５６２等への負荷を小さくして、変形・破損の防止をすることができる。さらに、距離を大きく取ることによって、取り付け誤差や摩耗による誤差によりストッパー５６の当接面５８の位置が変化してもその影響を小さくすることができる。
【００２２】
上記した球発射装置３を備えるベース板１の上に蓋体２が施蓋されて、図６に示すように、球発射装置３の上に球送り装置６と制御基板７とが配設される。
球送り装置６において、蓋体２には、球皿からの球を受け入れる球導入路２２と発射レール４へ球を送り出す球送出路２６とが隣接して設けられている。球導入路２２は、前側（遊技者側）が開口され、後側（ベース板側）が閉鎖され、送出部２６側の側面が開放されている。球導入路２２の底面２２１は球送出路２６側に向けて低く傾斜されているので、球皿から導入された球は球送出路２６に向けて流下する。球送出路２６は、前側が閉鎖され、後側が開口され、球導入路２２側の側面が球導入路２２と連通する。球導入路２２と球送出路２６とを隣接させることにより、球導入路２２と球送出路２６とをつなぐ連絡路が不要となって、設置に必要な横幅を狭めることが可能となる。
【００２３】
不正行為として、正規寸法（φ１１）より小径の球（例えばφ１０．５）を用いて入賞させやすくしたり、大径の球（例えばφ１１．５）を用いてセンサに球を詰まらせたりする行為がある。そこで、対策として球導入路２２の幅を１１．１〜１１．４ｍｍとして、φ１１．５の球が侵入するのを防止してある。また、発射レール４と上側ガイド部材４３との幅を１０．６〜１０．９ｍｍとして、φ１０．５の球が球発射位置に保持されず下方に落下するようにしてある。
【００２４】
８は球送り部材であって、球受け凹部８１が球導入路２２に向けた横向きにして回動軸８２に軸着されている。球受け凹部８１は球送出路２６内に位置している。球送り部材８は、球受け凹部８１の上側が球停止片８３に、球受け凹部８１の下側が前側から後側に向けて低く傾斜する底面８４に形成してあるので、球受け凹部８１に取り込まれた球は、ベース板１側に向けて流下する。そして、球送り部材８の上面には鉄板８５が固定されており、その上方には球送りソレノイドＴが下向きに配設されているので、球送りソレノイドＴの通電により鉄板８５が吸着されて、球送り部材８は回動軸８２を中心に回動される。球受け凹部８１は、球送出路２６内を上下に移動する。球送りソレノイドＴを下向きとしたので、設置に必要なスペースの横幅を狭めることができる。なお、図６に示す状態は、球送りソレノイドＴが非通電の非遊技状態である。
【００２５】
以上のように、蓋体２に球導入路２２と球送出路２６とを隣接して設け、球送り部材８を横向きとして球受け凹部８１が球送出路２６に位置するように配置したうえに、球送り部材８の上方に球送りソレノイドＴを下向きとして配置したので、球送り装置６の隣に制御基板７取り付け用のスペースを確保することができる。
【００２６】
制御基板７には、入力端子７１、出力端子７２と、球の発射の制御を行う球発射制御モジュール９が装着されている。発射制御モジュール９は、図１２に示すように、タッチセンサ部９１と、ボリューム部９５と、スイッチ入力部９２と、信号選択部９３と、ソレノイド制御部９４とを内蔵している。
【００２７】
タッチセンサ部９１は、操作ハンドルに付設されたタッチセンサ入力部から遊技者の触手を検知して、発射信号を信号選択部９３に送信する。ボリューム部９５は、操作ハンドルの回動量に応じて可変抵抗器の抵抗が変化され、これに対応する球発射強度を信号選択部９３に送信する。スイッチ入力部９２は、操作ハンドルに付設されたストップスイッチが遊技者に操作されたときに、球の発射を停止する停止信号を信号選択部３に送信する。信号選択部９３は、タッチセンサ部９１からの発射信号か、スイッチ入力部からの停止信号の何れかを選択して、選択した信号をソレノイド制御部９４に送信する。
【００２８】
ソレノイド制御部９４は、信号選択部９３から送信された発射信号に基づき、球送りソレノイドＴに一定の周期で発射制御信号を送信するとともに、球送りソレノイドＴの駆動と同期を取って発射ソレノイドＨに発射制御信号を送信する。
【００２９】
以上のように構成された球発射装置ユニットにおいて、遊技者が操作ハンドルを操作したときには、タッチセンサ部９１からの発射信号が信号選択部９３にて選択されてソレノイド制御部９４が球送りソレノイドＴと発射ソレノイドＨに出力信号を発する。出力信号により先ず球送り装置６が作動される。
【００３０】
球送り装置６における球の導入と送出について、以下に説明する。
先ず、ソレノイドＴが通電されることにより、下方に回動されていた球送り部材８は上方に回動される。これによって、図７に示すように、球が球導入路２２を通って球送出路２６に位置する球受け凹部８１に導かれる。図７、８の状態では、球は球送出路２６の奥壁２６１に支えている。そして、ソレノイドＴが非通電となることによって、球受け凹部８１は自重により降下するので（図９）、球受け凹部８１の位置が球送出口２６２と合致して球を発射レール４に送出することができる（図１０）。球受け凹部８１が降下するときに、上側の球停止片８３が後続球の流下を規制するので、球送り部材８は一球ずつ球を発射レール４に送出することができる（図９）。
【００３１】
球送りソレノイドＴに出力信号を発してから所定の時間経過後に、ソレノイド制御部９４は、発射ソレノイドＨに出力信号を発する。これによって、弾球槌５の先端が上方に回動されて、発射レール４上の球を打ち出す。打ち出し完了とともに発射ソレノイドＨは非通電となって弾球槌５は元の位置に戻される。ソレノイド制御部９４は、次の球発射の作動に移行する。なお、球送りソレノイドＴの出力の１周期内に、タッチセンサ部９１、スイッチ入力部９２の入力条件がオン、オフされても球送り周期が短くなったりすることはなく、所定の周期で球送りがなされて球が発射される。
【符号の説明】
【００３２】
１  ベース板、２  蓋体、３  球発射装置、４  発射レール、５  弾球槌、６  球送り装置、７  制御基板、８  球送り部材、９  発射制御モジュール、Ｈ  発射ソレノイド、Ｔ  球送りソレノイド、
【図１】
0005428040.tif 000002
【図２】
0005428040.tif 000003
【図３】
0005428040.tif 000004
【図４】
0005428040.tif 000005
【図５】
0005428040.tif 000006
【図６】
0005428040.tif 000007
【図７】
0005428040.tif 000008
【図８】
0005428040.tif 000009
【図９】
0005428040.tif 000010
【図１０】
0005428040.tif 000011
【図１１】
0005428040.tif 000012
【図１２】
0005428040.tif 000013
【図１３】
0005428040.tif 000014
【図１４】
0005428040.tif 000015